(57)【要約】      （修正有）【課題】鉢の落下を防止し、狭い場所でも設置することができる耐震鉢受け装置を提供する。【解決手段】ポール１０の外側に沿って移動自在な筒状の自在金具８を取り付けて成り、自在金具に輪状、フック状、棚状などの形状を有する鉢受け金具９，９ｄが取り付けられ、鉢受け金具に鉢１２，１２ａを取り付けて成る。【選択図】図１
0003170823.tif 000002
【実用新案登録請求の範囲】
【請求項１】
ポ−ルに沿って移動自在な自在金具を備え、前記自在金具に鉢受け金具を備え前記鉢受け金具に鉢を備えたことを特徴とする耐震鉢受け装置。
【請求項２】
前記ポ−ル下端にＴ型支持台を備え前期Ｔ型支持台に容器を備えたことを特徴とする請求項１記載の耐震鉢受け装置。
【請求項３】
前記ポ−ル下端にＴ型支持台を備え前期ポ−ル上端にＴ型支持具を備えたことを特徴とする請求項１記載の耐震鉢受け装置。
【請求項４】
前記ポ−ル下端に埋設用Ｔ型支持台を備えたことを特徴とする請求項１記載の耐震鉢受け装置。
【考案の詳細な説明】
【技術分野】
【０００１】  本考案は植物に関する耐震鉢受け装置に関わるものである。
【背景技術】
【０００２】  従来の植木鉢保持ケ−ス構造は枠内の形が選定を有しのために他の鉢大小等を備えることは不便である又、植木鉢台の鉢挿入装置は面積を有しのために狭い場所等では不便である又、樹木型植木鉢台は植木鉢を受け皿に載せるだけで植木鉢は落下するのと面積を有しのために狭い場所では不便である。
【先行技術文献】
【特許文献】
【０００３】
【特許文献１】特許公開平１１−１６９２７１号公報
【特許文献２】登録実用新案公開平５−４３８３７号公報
【特許文献３】登録実用新案第３０９０６５２号公報
【考案の概要】
【考案が解決しようとする課題】
【０００４】  しかし、これでは面積と植木鉢の落下の管理が怠るので不便である。
【課題を解決するための手段】
【０００５】  ポ−ルに沿って移動自在な自在金具を備え自在金具に鉢受け金具を備え鉢受け金具に鉢を備えた。【０００６】  ポ−ル下端にＴ型支持台を備え、Ｔ型支持台に容器を備えた。【０００７】  ポ−ル下端にＴ型支持台を備え、ポ−ル上端にＴ型支持具を備えた。【０００８】  ポ−ル下端に埋設用Ｔ型支持台を備えた。
【考案の効果】
【０００９】  よって、本考案はポ−ル下端に台を備えポ−ルに鉢受け金具を取り付け鉢受け金具に鉢を挿入することによって落下防止に成る。又、鉢受け金具の輪よりも小鉢を備える場合は小鉢に合った鉢受け金具を交換するか、従来の水受け皿に小鉢を備える等、植物のよい環境を作るためには四季折々に日当たり日陰の場所等に簡単に移動をしたりすることも出来る、ポ−ルを回転させることも出来る、したがって台の穴に杭等で固定するとさらに風等に耐えられる又、ポ−ルに埋設用Ｔ型支持台を備えることも出来るのでこれも風等に耐えられる又、台を床等に備え不安定時に台にボルト、ナットで調整する、ポ−ル１１にネット等を備えつる性植物等を備えることも出来る、ポ−ルを十字型に備えネット等で囲いをすると植物に日陰、風当たり防止、温室の役目等を備えることも出来る、鉢を吊り下げることも出来る、物干し竿にも成る。又、鉢を増加する場合ポ−ルを組立時に自在金具を挿入するとよい後は簡単又、室内にポ−ルを配置することも出来る、ポ−ル１０下端にＴ型支持台を取り付けポ−ル１０に自在金具を取り付ける、ポ−ル１１端にＴ型支持具を取り付けポ−ル１０端にポ−ル１１を挿入するポ−ル１１を天井に伸ばしポ−ル１１とポ−ル１０を蝶ネジで固定する又、Ｔ型支持具に木ネジ等で取り付けするとさらに強度を増すことによって耐震構造に備えるので不安を解消し安心安全である。
【図面の簡単な説明】
【００１０】
【図１】  本考案に係わる台４とポ−ル１０、ポ−ル１１、自在金具８、鉢受け金具９，９ｄ，鉢１２，１２ａ水受け鉢１２ｂ，蝶ネジの斜視図である。
【図２】  本考案に係わる室内に備える台４とポ−ル１０、ポ−ル１１、蝶ネジ、Ｔ型支持具７と天井１３までに備えた斜視図である。
【図３】  本考案に係わる室内に備えるポ−ル１０下端にＴ型支持台５、ポ−ル１１，蝶ネジ、Ｔ型支持具７を天井１３までに備えた斜視図である。
【図４】  本考案に係わる庭等に備える埋設用Ｔ型支持台６とポ−ル１０，蝶ネジを備えた斜視図である。
【図５】  本考案に係わる鉢受け金具９，９ｄに溶接９ｐ，９ｑを備えた斜視図である。
【図６】  本考案に係わる鉢受け金具９に水受け鉢兼水草鉢１２ｂに通気溝１２ｃを備えた斜視図である。
【図７】  本考案に係わる鉢受け金具９の輪よりも小鉢１２ｄを備える場合に従来の水受け皿１２ｅを備え小鉢１２ｄを備えた斜視図である。
【図８】  本考案に係わる自在金具８、鉢受け金具の蝶ネジとポ−ル１０の四つ角の印を表した展開図である。
【図９】  本考案に係わるポ−ル１０と自在金具８、鉢受け金具、鉢受け金具ダブル輪、蝶ネジと従来の鉢受け皿に小鉢を備えた平面図である。
【図１０】  本考案に係わる埋設用Ｔ型支持台６に盲キャップ６ａを備えた斜視図である。
【図１１】  本考案に係わるポ−ルを庭等に備える埋設用Ｔ型支持台６のポ−ル１０の振り止め２ｅ排水口６ｂ，６ｃ，６ｄ．６ｅ、蝶ネジ２ａ，２ｂ，２ｃ，２ｄの平面図である。
【図１２】  本考案に係わるＴ型支持台４ａ，５のポ−ル１０の振り止め２ｅと取り付け孔１ａ，１ｂ，１ｃ，１ｄと蝶ネジ２ａ，２ｂ，２ｃ，２ｄの平面図である。
【図１３】  本考案に係わる室内に備えるＴ型支持具７の取り付け雌ネジ７ａ，７ｂ、と取り付け孔１ｅ，１ｆ，１ｇ，１ｈの平面図である。
【図１４】  本考案に係わるＴ型支持具７にポ−ル１１を取り付けとポ−ル１０にポ−ル１１を挿入する取り付け蝶ネジ１０ｃ，１０ｄと天井に取り付け穴１ｅ，１ｆ，１ｇ，１ｈの斜視図である。
【考案を実施するための形態】
【００１１】図１
本考案に関わる耐震鉢受け装置は図１，２，３，４，５，６，７，８，９，１０，１１，１２，１３，１４に示すようにポ−ル１０から成る台４を備えポ−ル１０を管２に挿入し蝶ネジ２ａ，２ｂ，２ｃ，２ｄで取り付け又、ポ−ル１０に自在金具８を備え蝶ネジ８ａ，８ｂ，８ｃ，８ｄで取り付ける、自在金具８に鉢受け金具９，９ｄを挿入し蝶ネジ９ｈ，９ｌで取り付ける、ポ−ル１０端にポ−ル１１を挿入穴１０ａに挿入し蝶ネジ１０ｃ，１０ｄで取り付け又、配置を選定し板１固定穴１ａ，１ｂ，１ｃ，１ｄに杭等を備えると風等に耐えられる容器３を省いても耐えられるし又、台を床等に備え不安定時にボルト、ナット１ｉ，１ｊ，１ｋ，１ｌ等で調整する、又、鉢受け金具９，９ｄに鉢１２（屋内設置用），１２ａ（屋外設置用）を備え鉢１２に水受け鉢兼水草鉢１２ｂを備え鉢１２ｂに通気溝１２ｃを備えた。又、鉢受け金具９の輪よりも小鉢１２ｄ（図７）を備える場合に従来の水受け皿１２ｅに小鉢１２ｄを備え又は、鉢受け金具９の輪を大小に交換に備える、容器３に縁３ｂと歪み防止３ｆと注砂水口３ａと排水口兼取っ手３ｌを備えた。
【００１２】図２
室内に備えるポ−ル１０から成る台４にポ−ル１０を管２に挿入し蝶ネジ２ａ，２ｂ，２ｃ，２ｄで取り付け又、ポ−ル１１端にＴ型支持具７を備え雌ネジ７ａ，７ｂと蝶ネジ７ｃ，７ｄで取り付けポ−ル１１をポ−ル１０端に挿入しポ−ル１１を天井１３に伸ばしポ−ル１０とポ−ル１１を蝶ネジ１０ｃ，１０ｄ，で取り付け、又、Ｔ型支持具７に木ネジ等で取り付けするとさらに強度を増す、尚、自在金具８鉢受け金具９，９ｄ等の取り付けの説明文上記００１１と同様で省略する。
【００１３】図３
室内に備えるポ−ル１０下端にＴ型支持台５を備え蝶ネジ２ａ，２ｂ，２ｃ，２ｄで取り付け、又、ポ−ル１１端にＴ型支持具７を備え雌ネジ７ａ，７ｂと蝶ネジ７ｃ，７ｄで取り付けポ−ル１１をポ−ル１０に挿入しポ−ル１１を天井１３に伸ばしポ−ル１０とポ−ル１１を蝶ネジ１０ｃ，１０ｄで取り付け、又、Ｔ型支持台５とＴ型支持具７に木ネジ等で取り付けるとさらに強度を増す。尚、自在金具８、鉢受け金具９，９ｄ等の取り付けの説明文上記００１１と同様で省略する。
【００１４】図４
庭等に備える埋設用Ｔ型支持台６の蝶ネジ２ａ，２ｂ，２ｃ，２ｄを露出の状態で埋設しポ−ル１０を埋設用Ｔ型支持台６に挿入し蝶ネジ２ａ，２ｂ，２ｃ，２ｄで固定をするとともに風等に耐えられる埋設用Ｔ型支持台６にポ−ル１０不要の場合は埋設用Ｔ型支持台６端に盲キャプ６ａ（図１０）を備えた。尚、自在金具８鉢受け金具９，９ｄ等の取り付けの説明文上記００１１と同様で省略する。
【００１５】図５
鉢受け金具９，９ｄ，に溶接９ｐ，９ｑを備えた。
【００１６】図６
鉢受け金具９に水受け鉢兼水草鉢１２ｂに通気溝１２ｃを備えた。
【００１７】図７
鉢受け金具９の輪よりも小鉢１２ｄを備える場合に従来の水受け皿１２ｅを備え小鉢１２ｄを備えた。
【００１８】図８
自在金具と鉢受け金具の蝶ネジの展開図、自在金具８取り付け蝶ネジ８ａ，８ｂ，８ｃ，８ｄと鉢受け金具取り付け蝶ネジ９ｈ，９ｉ，９ｊ，９ｋ，９ｌ  ９ｍ，９ｎ，９ｏとポ−ル１０の四つ角の印８ｅ，８ｆ，８ｇ，８ｈの展開図である。
【００１９】図９
ポ−ル１０に自在金具８と鉢受け金具９，９ａ，９ｃ，９ｄ，９ｅ，９ｇと鉢受け金具ダブル輪９ｂ，９ｆと鉢受け金具取り付け蝶ネジ９ｈ，９ｉ，９ｊ，９ｋ，９ｌ，９ｍ，９ｎ，９ｏを備えた又、従来の水受け皿１２ｅに小鉢１２ｄを備えた平面図である。
【００２０】図１４
Ｔ型支持具７にポ−ル１１を挿入し雌ネジ７ａ，７ｂと蝶ネジ７ｃ，７ｄで取り付ける又、ポ−ル１１をポ−ル１０に挿入しポ−ル１１を天井に伸ばし蝶ネジ１０ｃ，１０ｄで固定する。
【符号の説明】
【００２１】    １  板            １ａ  板の固定穴        １ｂ  板の固定穴
１ｃ  板の固定穴    １ｄ  板の固定穴        １ｅ  取り付け穴
１ｆ  取り付け穴    １ｇ  取り付け穴        １ｈ  取り付け穴
１ｉ  ボルト、ナット    １ｊボルト、ナット  １ｋ  ボルト、ナット
１ｌ  ボルト、ナット
２  管            ２ａ  蝶ネジ            ２ｂ  蝶ネジ
２ｃ  蝶ネジ        ２ｄ  蝶ネジ
２ｅ  振り止め（ポ−ル１０の振り止め丸形角度４５度）
３  容器      ３ａ  注砂水口      ３ｂ  縁      ３ｃ  縁
３ｄ  縁        ３ｅ  縁      ３ｆ  歪み防止      ３ｇ  歪み防止
３ｈ  歪み防止  ３ｉ  歪み防止  ３ｊ  歪み防止  ３ｋ  歪み防止
３ｌ  排水口兼取っ手      ３ｍ  排水口兼取っ手
３ｎ  排水口        ３ｏ  排水口        ３ｐ  排水口
３ｑ  排水口        ３ｒ  管挿入口
４  前記、板１、管２、容器３の組合せ台
４ａ  Ｔ型支持台
５  Ｔ型支持台
６  埋設用Ｔ型支持台
６ａ  盲キャップ            ６ｂ  排水口          ６ｃ  排水口
６ｄ  排水口                ６ｅ  排水口
７  Ｔ型支持具
７ａ  雌ネジ    ７ｂ  雌ネジ  ７ｃ  蝶ネジ用穴    ７ｄ  蝶ネジ用穴
８  自在金具      ８ａ  取り付け蝶ネジ      ８ｂ  取り付け蝶ネジ
８ｃ  取り付け蝶ネジ        ８ｄ  取り付け蝶ネジ
８ｅ  ポ−ル１０の四つ角の印              ８ｆ  ポ−ル１０の四つ角
８ｇ  ポ−ル１０の四つ角                  ８ｈ  ポ−ル１０の四つ角
９  鉢受け金具          ９ｄ  鉢受け金具      ９ａ  鉢受け金具
９ｂ  鉢受け金具ダブル輪  ９ｃ  鉢受け金具      ９ｄ  鉢受け金具
９ｅ  鉢受け金具      ９ｆ  鉢受け金具ダブル輪    ９ｇ  鉢受け金具
９ｈ  鉢受け金具取り付け蝶ネジ    ９ｉ  鉢受け金具取り付け蝶ネジ
９ｊ  鉢受け金具取り付け蝶ネジ    ９ｋ  鉢受け金具取り付け蝶ネジ
９ｌ  鉢受け金具取り付け蝶ネジ    ９ｍ  鉢受け金具取り付け蝶ネジ
９ｎ  鉢受け金具取り付け蝶ネジ    ９ｏ  鉢受け金具取り付け蝶ネジ
９ｐ  鉢受け金具溶接              ９ｑ  鉢受け金具溶接
１０  ポ−ル      １０ａ  ポ−ル挿入穴        １０ｂ  ポ−ル挿入穴
１０ｃ  取り付け蝶ネジ          １０ｄ  取り付け蝶ネジ
１０ｅ  取り付け蝶ネジ          １０ｆ  取り付け蝶ネジ
１１  ポ−ル                  １１ａ  ポ−ル（挿入穴１０ｂ）
１２  鉢          １２ａ  鉢          １２ｂ  水受け鉢兼水草鉢
１２ｃ  通気溝      １２ｄ  小鉢        １２ｅ  従来の水受け皿
１３  天井
１４  床
１５  地面
【図１】
0003170823.tif 000003
【図２】
0003170823.tif 000004
【図３】
0003170823.tif 000005
【図４】
0003170823.tif 000006
【図５】
0003170823.tif 000007
【図６】
0003170823.tif 000008
【図７】
0003170823.tif 000009
【図８】
0003170823.tif 000010
【図９】
0003170823.tif 000011
【図１０】
0003170823.tif 000012
【図１１】
0003170823.tif 000013
【図１２】
0003170823.tif 000014
【図１３】
0003170823.tif 000015
【図１４】
0003170823.tif 000016
【手続補正書】
【提出日】平成23年2月25日(2011.2.25)
【手続補正１】
【補正対象書類名】実用新案登録請求の範囲
【補正対象項目名】全文
【補正方法】変更
【補正の内容】
【実用新案登録請求の範囲】
【請求項１】
ポ−ルに沿って移動自在な自在金具を取り付けて成り、前記自在金具に鉢受け金具が取り付けられ、前記鉢受け金具に鉢を取り付けて成ることを特徴とする耐震鉢受け装置。
【請求項２】
前記ポ−ル下端にＴ型支持台を取り付けて成り、前記Ｔ型支持台に容器が取り付けられていることを特徴とする請求項１記載の耐震鉢受け装置。
【請求項３】
前記ポ−ル下端にＴ型支持台を取り付けて成り、前記ポ−ル上端にＴ型支持具が取り付けられていることを特徴とする請求項１記載の耐震鉢受け装置。
【請求項４】
前記ポ−ル下端に埋設用Ｔ型支持台が取り付けられていることを特徴とする請求項１記載の耐震鉢受け装置。
【手続補正書】
【提出日】平成23年5月17日(2011.5.17)
【手続補正１】
【補正対象書類名】実用新案登録請求の範囲
【補正対象項目名】全文
【補正方法】変更
【補正の内容】
【実用新案登録請求の範囲】
【請求項１】
ポ−ルの外側に沿って移動自在な筒状の自在金具を取り付けて成り、前記自在金具に鉢受け金具が取り付けられ、前記鉢受け金具に鉢を取り付けて成ることを特徴とする耐震鉢受け装置。
【請求項２】
前記Ｔ型支持台は板の上に管を固定して成り、前記ポ−ル下端にＴ型支持台の前記管を取り付けて成り、前記板の上部に容器が取り付けられていることを特徴とする請求項１記載の耐震鉢受け装置。
【請求項３】
前記ポ−ル下端にＴ型支持台を取り付けて成り、前記ポ−ル上端にＴ型支持具が取り付けられていることを特徴とする請求項１記載の耐震鉢受け装置。
【請求項４】
前記ポ−ル下端に埋設用Ｔ型支持台が取り付けられていることを特徴とする請求項１記載の耐震鉢受け装置。
【手続補正書】
【提出日】平成23年7月11日(2011.7.11)
【手続補正１】
【補正対象書類名】実用新案登録請求の範囲
【補正対象項目名】全文
【補正方法】変更
【補正の内容】
【実用新案登録請求の範囲】
【請求項１】
ポールの外側に沿って移動自在な筒状の自在金具を取り付けて成り、前記自在金具に輪状、フック状、棚状などの形状を有する鉢受け金具が取り付けられ、前記鉢受け金具に鉢を取り付けて成ることを特徴とする耐震鉢受け装置。
【請求項２】
前記ポール下端にＴ型支持台を取り付けて成り、前記Ｔ型支持台は板の上に管を固定して成り、前記管に前記ポール下端は挿入されており、前記板の上部に注砂水口を有する容器が取り付けられていることを特徴とする請求項１記載の耐震鉢受け装置。
【請求項３】
前記ポール下端にＴ型支持台を取り付けて成り、前記ポール上端にＴ型支持具が取り付けられていることを特徴とする請求項１記載の耐震鉢受け装置。
【請求項４】
前記ポール下端に埋設用Ｔ型支持台が取り付けられていることを特徴とする請求項１記載の耐震鉢受け装置。